(57)【要約】【課題】軸方向に配設した複数の棒磁石を用いながら、その接続部分にも磁極を形成させることで、両端の２ヶ所だけでなく中間部分にも磁極を形成させ、全体として磁極の数を増加させて、コップ内の飲料を十分に磁化させることができるマドラーの提供。【解決手段】非磁性体による軸棒の下端部に永久磁石が組み付けられているマドラーであって、前記軸棒１の下端部に組付穴１３が形成され、この組付穴内に複数個の棒磁石２が軸棒の軸方向に列をなして配設されると共に、隣り合う棒磁石同士は、間に磁性体（鉄片３）を挟んだ状態で同一磁極同士が対向するように配設されている。【選択図】　　　図１
2004057270.tif 000002
【特許請求の範囲】
【請求項１】
非磁性体による軸棒の下端部に永久磁石が組み付けられているマドラーであって、
前記軸棒の下端部に組付穴が形成され、この組付穴内に複数個の棒磁石が軸棒の軸方向に列をなして配設されると共に、隣り合う棒磁石同士は、間に磁性体を挟んだ状態で同一磁極同士が対向するように配設されていることを特徴とするマドラー。
【請求項２】
請求項１記載のマドラーにおいて、棒磁石の間に挟まれる磁性体は、その外径が磁石の外径よりも大径に形成されているマドラー。
【発明の詳細な説明】
【０００１】
【発明の属する技術分野】
本発明は、コップ等に収容したコーヒー、ウイスキー、ジュース、お茶、水等の飲料をかき混ぜるのに使用するマドラーであって、特に、コップ等に収容した飲料を磁力によって磁化させるようにしたマドラーに関する。
【０００２】
【従来の技術】
近年、水の浄化方法として、水を磁界に通過させることにより、水質を改善させた磁気水の提案が数多くなされている。
これは、水のような流体がある速度で磁界を通過する時に、流体分子の磁気モーメントと、磁界の相互作用によって流体分子が励起され、その結果、不安定な活性状態を作り出すためであるとされている。
【０００３】
このような磁気水を得るためには、流体を磁界に通過させる必要があるもので、流体がコップ等に収容されている場合には、この流体が流動しないため、磁界の方を動かして、流体を磁界に通過させることになる。
【０００４】
従って、コップに収容したコーヒー、ウイスキー、ジュース、水等の飲料を磁化させる手段として、いわゆる混ぜ棒といわれるマドラーに永久磁石（以下、「磁石」と略称する）を組み付けることが考えられる。
【０００５】
従来、混ぜ棒となる棒軸に磁石を組み付けたマドラーとしては、例えば、登録実用新案第３０３１３５４号のマドラーが知られている。
この従来のマドラーは、棒軸の下端部に形成した穴に、円柱状磁石を単体で組み付けたものであった。
【０００６】
【発明が解決しようとする課題】
ところで、磁石は、その磁極から磁力線（磁束）が放出されるが、単体の棒磁石の場合、磁束分布は、中央部が最も弱く、両極に行くに従って次第に強くなり、両端の磁極で最大になる。
従って、従来のマドラーのように、円柱状磁石（棒磁石）を単体で組み付けただけのものでは、強い磁化作用を得ることができるのは、両極の２ヶ所だけとなり、これでは、コップ内の飲料を十分に磁化させるには不十分であるという問題があった。
【０００７】
なお、単体ではなく、複数の磁石を用いるようにした場合、隣り合う磁石同士を異なる磁極同士で接続させても、その接続部分では磁極が消滅するため、結局は、両端に磁極を持っただけの単体の棒磁石と同様になる。
【０００８】
本発明は、上記のような問題を解決するためになされたもので、軸方向に配設した複数の棒磁石を用いながら、その接続部分にも磁極を形成させることで、両端の２ヶ所だけでなく中間部分にも磁極を形成させ、全体として磁極の数を増加させて、コップ内の飲料を十分に磁化させることができるマドラーを提供することを課題としている。
【０００９】
【課題を解決するための手段】
上記課題を解決するために、本発明のマドラー（請求項１）は、
非磁性体による軸棒の下端部に永久磁石が組み付けられているマドラーであって、
前記軸棒の下端部に組付穴が形成され、この組付穴内に複数個の棒磁石が軸棒の軸方向に列をなして配設されると共に、隣り合う棒磁石同士は、間に磁性体を挟んだ状態で同一磁極同士が対向するように配設されている構成とした。
なお、永久磁石としては、ネオジューム磁石やフェライト磁石、その他、希土類磁石等を用いることができる。
【００１０】
このマドラーにおいて、棒磁石の間に挟まれる磁性体は、その外径が磁石の外径よりも大径に形成されている態様がある。
【００１１】
【発明の実施の形態】
以下、図面に基づいて本発明の実施例を説明する。
図１は本発明のマドラーの１実施例を示す切欠正面図である。
【００１２】
図において、１は軸棒で、ステンレスや合成樹脂等の非磁性体で形成され、その上端部にグリップ１０が形成され、下端部は柄部１１よりも若干大径に形成され、その大径部１２の内部に下端から軸方向に組付穴１３が形成されている。
前記組付穴１３には、複数個（実施例では４個）の棒磁石２が軸棒１の軸方向に列をなして配設されると共に、隣り合う棒磁石２，２同士は、間に磁性体としての鉄片３を挟んだ状態で同一磁極同士（Ｓ極とＳ極同士、又はＮ極とＮ極同士）が対向するように配設されている。
なお、組付穴１３の奥端にも鉄片３が組み付けられ、又、下端部にも鉄片３が組み付けられ、下端には、防錆のためにステンレスによる栓蓋４がネジ込みにより取り付けられている。
この場合、前記各鉄片３は、その外径が棒磁石２の外径よりも大径に形成されている。
【００１３】
このように、同一磁極同士を対向させると共に、その間に磁性体としての鉄片３を挟むと、この鉄片３が、当該鉄片３を挟んだ磁極と同一の磁極に形成されると共に、奥端及び下端部の鉄片３も接続した磁極と同一の磁極に形成される。
従って、この実施例では、４個の棒磁石２と５個の鉄片３の組み合わせによる一連の棒磁石群によって合計５個の磁極が形成されたものになっている。
【００１４】
又、前記各鉄片３には、その外周に磁極が形成されるもので、このとき、鉄片３の外径が棒磁石２の外径よりも大径に形成されているため、磁束が効率よく放出され、強い磁力を得ることができる。
【００１５】
本実施例のマドラーは、コップ等に収容された飲料（水やウイスキー等）を混ぜるのに使用するもので、グリップ１０を摘んで、軸棒１を動かすことで、結果として、下端部に設けた棒磁石２（鉄片３）からの磁界を流体が通過することになるため、飲料に含まれる水分を磁化させることができる。
このとき、本実施例では、複数の棒磁石２と鉄片３を組み合わせているため、両端の２ヶ所だけでなくだけでなく、棒磁石２，２の接続部分にも鉄片３によって磁極が形成されて、磁極の数を増加させることができる。
【００１６】
前述したように、磁石から放出される磁束の強さは、その磁極部分が最も大きいもので、本実施例のように、磁極の数が増加すれば、それだけ強い磁束が多く放出されることになり、これにより、飲料に含まれる水分を十分に磁化させることができる。
又、鉄片３の外径が棒磁石２の外径よりも大径に形成されているため、磁束が効率よく放出され、強い磁力によって飲料に含まれる水分をより一層十分に磁化させることができる。
【００１７】
又、本発明のマドラーは、携帯用とすることも可能であり、この場合、その磁力によって銀行等の磁気カード等に悪影響を及ぼすおそれがある。
そこで、先端部を磁性体（鉄等）により形成したキャップで覆うようにすれば、このキャップがヨークとなって棒磁石（鉄片）から放出された磁力がショートし、磁束の放出を減衰させて、磁気カード等への悪影響を解消することができる。
【００１８】
【発明の効果】
以上、説明してきたように本発明のマドラー（請求項１）にあっては、軸方向に配設した複数の棒磁石を用いながら、その接続部分に磁性体（鉄片）によって磁極を形成させたので、両端の２ヶ所だけでなく中間部分にも磁極を形成させることができ、全体として磁極の数を増加させて、コップ内の飲料を十分に磁化させることができる。
【００１９】
又、磁性体（鉄片）の外径が磁石の外径よりも大径に形成されているため（請求項２）、磁束が効率よく放出され、強い磁力によって飲料に含まれる水分をより一層十分に磁化させることができる。
【図面の簡単な説明】
【図１】本発明のマドラーの１実施例を示す切欠正面図である。
【符号の説明】
１　軸棒
１０　グリップ
１１　柄部
１２　大径部
１３　組付穴
２　棒磁石
３　鉄片
４　栓蓋
【図１】
2004057270.tif 000003